(57)【特許請求の範囲】
【請求項１】
魚釣りに用いる玉網であって、
枠部と、
前記枠部に固定された網部と、
前記枠部に連結されたハンドル部と、
前記枠部と前記ハンドル部との連結部分に回動可能に固定されたフローターと
を備え、
前記枠部を水面付近に位置させた際に、前記フローターは水面に浮遊した状態を維持しつつ前記枠部が傾いた状態となり得るように、前記フローターは前記枠部に対して回動可能とされる、
玉網。
【請求項２】
前記フローターはＵ字型部材であり前記枠部に沿うように配置されている、
請求項１に記載の玉網。
【請求項３】
前記フローターは中空部を有し、前記中空部内に空気を出入可能な通気手段をさらに備えている、請求項１または２に記載の玉網。
【請求項４】
前記枠部は、前記フローターが水面に浮遊した状態において、前記ハンドル部を下げることにより前記フローターの回動中心を支点として水面に水平になるように回動し、前記ハンドル部を上方に持ち上げることにより前記フローターの回動中心を支点として水中に傾いて沈むように回動する、
請求項１から３のいずれかに記載の玉網。
【発明の詳細な説明】
【０００１】
【発明の属する技術分野】
本発明は、魚釣りの際に魚をすくい上げるために用いる玉網に関する。
【０００２】
【従来の技術】
従来の玉網は、環状の枠部と、枠部に固定された網部と、枠部に連結されたハンドル部とを有している。この玉網は、船釣りを行っている場合などに用いられるものである。仕掛けにかかった魚を引き上げる際に、ユーザはハンドル部を把持して枠部を水面に向かって差しだし、枠部を水面付近に水平に保持する。そして、仕掛けにかかった魚を水面付近まで引き上げて、枠部を傾けながら魚を網部の中に入れてすくい上げる。
【０００３】
【発明が解決しようとする課題】
波が激しい海上や湖沼上で船釣りを行う際、水面付近に玉網の枠部を水平に着水させ、さらに玉網の枠部を水平に維持するには、十分な力が必要である。また、仕掛けに魚がかかった釣竿を一方の手で操作しつつ、他方の手で玉網を操作するのは煩雑かつ困難な操作である。
【０００４】
ここで、玉網の枠部にフローターを取り付けて、玉網の枠部を水面に水平に維持することが考えられる。しかし、フローターを枠部に取り付けると、玉網を水面に維持するのは可能であるが、魚をすくい上げる際に枠部を傾けて沈めるのが困難になる。
【０００５】
本発明の課題は、水面付近において水平に容易に維持可能であり、かつ魚を容易に取り込める玉網を提供する。
【０００６】
【課題を解決するための手段】
発明１にかかる玉網は、魚釣りに用いる玉網であって、枠部と、枠部に固定された網部と、枠部に連結されたハンドル部と、枠部とハンドル部との連結部分に回動可能に固定されたフローターとを備えている。また、枠部を水面付近に位置させた際に、フローターは水面に浮遊した状態を維持しつつ枠部が傾いた状態となり得るように、フローターは枠部に対して回動可能とされる。
【０００７】
この場合には、枠部を水面付近に位置させると、大きな浮力を有するフローターが枠部を水面付近に維持する。ここで、ハンドル部を傾けて枠部を傾けるとフローターが回動し、フローター自体は水面付近に水平に浮遊した状態を維持しつつ枠部のみが傾いた状態になる。この結果、枠部を水面付近に容易に維持できると共に、仕掛けにかかった魚を水面付近に引き寄せて、傾けた枠部から網部の中に容易に取り込める。
【０００８】
発明２にかかる玉網は、発明１の玉網であって、フローターはＵ字型部材であり枠部に沿うように配置されている。
【０００９】
この場合には、枠部及びフローターを水面付近に着水させると、大きな浮力を有するフローターが枠部を水面付近に保持する。ここで、フローター自体は水面付近にほぼ水平な状態である。ハンドル部の自重によって又はユーザが自らハンドル部を水面方向に下げると、枠部とハンドル部との連結部分、即ち、フローターの回動中心を支点として、枠部は水面付近にほぼ水平になるように回動する。この結果、枠部及び網部を容易に水面付近に水平に維持しておくことができる。
【００１０】
また、水面近くまで引き上げた魚をすくい上げる場合、ハンドル部を上方に持ち上げると、枠部はフローターの回動中心を支点として回動し、水面付近で水中に傾いて沈む。この結果、魚を容易に網部内に取り込める。なお、フローターはU字型部材であり、枠部に取り付けられた網部を覆うことがないので、魚を目視しながら網部に容易に取り込むことができる。
【００１１】
発明３にかかる玉網は、発明１又は２の玉網であって、フローターは中空部を有し膨縮可能な部材であり、中空部内に空気を出入可能な通気手段をさらに備えている。
【００１２】
この場合には、通気手段を用いてフローター内部の中空部に空気を出し入れ可能である。使用時には中空部に空気を入れてフローターを膨らまして用いる。使用後には中空部から空気を出しフローターを縮めてコンパクトな状態にする。この結果、運搬等が容易になる。
【００１３】
発明４にかかる玉網は、発明１から発明３のいずれかの玉網であって、枠部は、フローターが水面に浮遊した状態において、ハンドル部を下げることによりフローターの回動中心を支点として水面に水平になるように回動し、ハンドル部を上方に持ち上げることによりフローターの回動中心を支点として水中に傾いて沈むように回動する。
【００１４】
【発明の実施の形態】
［第１実施形態］
以下、本発明の第１実施形態について、図面を参照しつつ説明する。
【００１５】
本発明の第１実施形態を採用した玉網は、図１に示すように、環状の枠部１と、枠部１に取り付けられた網部２と、枠部１に連結部材１０を介して連結されたハンドル部３と、枠部１に回動可能に固定されているフローター５とを有している。
【００１６】
枠部１は、ステンレス合金やチタン合金等からなる部材であり、金属製線状部材を環状に折り曲げて形成されたものである。また、網部２は、ナイロン繊維等からなる袋状の部材である。そして、網部２の開口側縁部は枠部１を覆うように折り返された後に縫合されており、枠部１に固定されている。ハンドル部３は、枠部１と同様に、ステンレス合金やチタン合金等からなる棒状の部材であって、枠部１に連結され固定されている。枠部１とハンドル部３との連結部分には、後述する連結部材１０が配置されている。
【００１７】
フローター５は、Ｕ字部６とＵ字部６の中央付近から突出した軸部７とを有している。Ｕ字部６は発泡ポリウレタンからなる部材であって、枠部１に沿って配置されている。また、図２に示すように、軸部７はプラスチック又は金属製の部材であって、端部には左右方向に貫通した貫通孔８が形成されている。そして、後述のように、連結部材１０を介して枠部１に回動可能に固定されている。
【００１８】
連結部材１０は、図２及び図３に示すように、プラスチックまたは金属製部材であって、挿入通路１１ａを内部に有する筒状の本体部１１と、本体部１１の上方に突出した突出部１２とを有している。本体部１１の挿入通路１１ａには、ハンドル部３の端部が挿入され、接着剤等で固定されている。また、本体部１１の先端側（図２の左側）には、左右方向に貫通した貫通孔１１ｂが形成され、この貫通孔１１ｂに枠部１が挿通されて固定されている。一方、突出部１２にも左右方向に貫通した貫通孔１２ａが形成されている。そして、この貫通孔１２ａとフローター５の貫通孔８とが合致するように、フローター５が連結部材１０の所定の位置に配置され、貫通孔８，１２ａを貫通するようにシャフト１３が挿入されている。
【００１９】
このように構成された玉網では、枠部１及びフローター５を水面付近に着水させると、フローター５が枠部１を水面付近に保持する。ここで、フローター５自体は水面付近にほぼ水平な状態になっている。続いて、ハンドル部３の自重によって又はユーザが自らハンドル部３を水面方向に下げると、図４（ａ）に示すように、枠部１は連結部材１０を支点として、フローター５と共に水面付近にほぼ水平になるように回動する。この結果、枠部１及び網部２を容易に水面付近に水平に維持しておくことができる。
【００２０】
また、魚を網部２内に取り込む際には、ユーザがハンドル３を上方に持ち上げる。すると、図４（ｂ）に示すように、枠部１及び網部２は連結部材１０を支点として水面付近で水中に傾いて沈むので、魚を容易に網部２内に取り込める。なお、フローター５はU 字型部材であり、魚を網部２に取り込む際、目視しながら網部２に容易に取り込むことができる。
以上のように、本発明の第１実施形態を採用した玉網によれば、フローター５が枠部１に固定されているので、枠部１を水面付近に容易に維持できる。また、フローター５が枠部１に対して回動可能になっているので、枠部１をフローターと共にほぼ水平に容易に保持できる。
［第２実施形態］
以下、本発明の第２実施形態について、図面を参照しつつ説明する。
【００２１】
本発明の第２実施形態を採用した玉網は、図５に示すように、環状の枠部５１と、枠部５１に取り付けられた網部５２と、枠部５１に連結部材６０を介して連結されたハンドル部５３と、枠部５１に回動可能に固定されているフローター５５とを有している。
【００２２】
フローター５５は、図６及び図７に示すように、内部に中空部１００を有するU 字部６１と、U 字部６１の中央付近でU 字部６１を包み込んで保持する軸部６２とを有している。U 字部６１はゴム製部材であり、中空部１００に空気を出し入れすることにより膨縮可能である。軸部６２は、金属又はプラスチック製の部材であって、U 字部６１を包み込むようにして保持している。軸部６２の端部には左右方向に貫通した貫通孔８が形成されている。そして、後述のように、連結部材６０を介して枠部１に回動可能に固定されている。U 字部６１と軸部６２にはそれぞれ通気孔６４が連続して形成されており、この通気孔６４によってU 字部６１の中空部１００と外部とは連通している。そして、この通気孔６４には栓部材６３が取り外し可能に挿入されている。
【００２３】
連結部材６０は、図７に示すように、プラスチックまたは金属製部材であって、挿入通路１１ａを内部に有する筒状の本体部１１と、本体部１１の上方に突出した突出部１２とを有している。本体部１１の挿入通路１１ａには、ハンドル部５３の端部が挿入され、接着剤等で固定されている。また、本体部１１の先端側（図２の左側）には、左右方向に貫通した貫通孔１１ｂが形成され、この貫通孔１１ｂに枠部１が挿通されて固定されている。一方、突出部１２にも左右方向に貫通した貫通孔１２ａが形成されている。そして、この貫通孔１２ａとフローター５５の貫通孔８とが合致するように、フローター５５が連結部材６０の所定の位置に配置され、貫通孔８，１２ａを貫通するようにシャフト１３が挿入されている。
【００２４】
なお、その他の構成は第１実施形態と同様であり、説明を省略する。
【００２５】
このように構成された玉網では、第１実施形態と同様の作用効果を奏する。
【００２６】
また、フローター５５は、栓部材６３を取り外して通気孔６４から中空部１００内に空気を出し入れ可能である。使用時には中空部１００に空気を入れてフローター５５を膨らませた状態で使用する。また、収納時には中空部１００から空気を排除してコンパクトな状態にする。この結果、持ち運びがより容易になる。
［他の実施形態］
（ａ）フローターの中空部に代えて、発泡ポリウレタン等の発泡材をフローター内部に配置してもよい。
（ｂ）図８に示すように、U 字型のフローター８０の両端部にそれぞれ糸部材８２を連結し、糸部材の他端を枠部８１に連結してもよい。また、この糸部材にピンオンリールのような糸巻き取り部材を取り付けてもよい。
（ｃ）ハンドル部と枠部との連結側の枠部に直接中空部または発泡材を設けてもよい。
【００２７】
【発明の効果】
本発明にかかる玉網によれば、枠部にフローターが連結されているので、水面付近に容易に維持可能である。また、フローターは枠部に回動可能に連結されているので、魚を容易に取り込める。
【図面の簡単な説明】
【図１】  本発明の第１実施形態を採用した玉網の全体図。
【図２】  図１の連結部材１０付近の拡大断面図。
【図３】  図１の連結部材１０の上面図。
【図４】  本発明の第１実施形態を採用した玉網を水面付近に水平に維持した図（ａ）と、枠部を傾けた図（ｂ）。
【図５】  本発明の第２実施形態を採用した玉網の全体図。
【図６】  図５のフローター５５の上面図
【図７】  図５の連結部材６０付近の拡大断面図。
【図８】  本発明の他の実施形態を示す図。
【符号の説明】
１，５１  枠部
２，５２  網部
３，５３  ハンドル部
５，５５  フローター
１０，６０  連結部材
【図１】
0003821943.tif 000002
【図２】
0003821943.tif 000003
【図３】
0003821943.tif 000004
【図４】
0003821943.tif 000005
【図５】
0003821943.tif 000006
【図６】
0003821943.tif 000007
【図７】
0003821943.tif 000008
【図８】
0003821943.tif 000009